【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】
情報を記憶する記憶手段、非接触で情報を送受信する無線送受信制御手段、およびアンテナを有する無線情報記憶部と、可視画像を記録する画像記録部と、を備えた無線情報記憶媒体の発行処理方法において、
複数の無線情報記憶媒体の無線情報記憶部のみに連続して所定情報を書き込む情報書き込み工程と、
複数の無線情報記憶媒体の画像記録部のみに前記所定情報の少なくとも一部に対応した画像情報を連続して記録する画像記録工程と、
を備えたことを特徴とする無線情報記憶媒体の発行処理方法。
【請求項２】
上記情報書き込み工程に続いて、上記情報書き込み工程により無線情報記憶部に書き込まれた情報を読み出し、読み出された情報と前記情報書き込み工程で用いた書き込み情報とを照合する照合工程と、
上記照合工程の照合結果に基づいて上記情報書き込み工程を再度行う再書き込み工程と、
上記照合工程の照合結果に基づいて無線情報記憶媒体を分別回収する回収工程と、
を備えたことを特徴とする請求項１に記載の無線情報記憶媒体の発行処理方法。
【請求項３】
情報を記憶する記憶手段、非接触で情報を送受信する無線送受信制御手段、およびアンテナを有する無線情報記憶部と、可視画像を記録する画像記録部と、を備えた無線情報記憶媒体の発行処理方法において、
それぞれ独立して形成された複数の上記無線情報記憶部に連続して所定情報を書き込む情報書き込み工程と、
それぞれ独立して形成された複数の上記画像記録部に前記所定情報の少なくとも一部に対応した画像情報を連続して記録する画像記録工程と、
上記情報書き込み工程により所定情報が書き込まれた上記無線情報記憶部と上記画像記録工程により画像情報が記録された上記画像記録部とをそれぞれ接合して複数の無線情報記憶媒体を形成する接合工程と、
を備えたことを特徴とする無線情報記憶媒体の発行処理方法。
【請求項４】
上記情報書き込み工程に続いて、上記無線情報記憶部に書き込まれた情報を読み出し、読み出された情報と上記情報書き込み工程で用いた情報とを照合する照合工程と、
上記照合工程による照合結果に基づいて上記情報書き込み工程を再度行う再書き込み工程と、
上記照合工程の照合結果に基づいて上記無線情報記憶部を分別回収する回収工程と、
を備えたことを特徴とする請求項３に記載の無線情報記憶媒体の発行処理方法。
【請求項５】
上記照合結果が一致するまで上記再書き込み工程および照合工程を繰り返し実行するとともに、照合回数をカウントし、カウントした上記照合回数が所定回数と一致した際に上記回収工程を実行することを特徴とする請求項２または４に記載の無線情報記憶媒体の発行処理方法。
【手続補正２】
【補正対象書類名】明細書
【補正対象項目名】００１８
【補正方法】変更
【補正の内容】
【００１８】
【課題を解決するための手段】
上記目的を達成するため、この発明に係る発行処理方法は、情報を記憶する記憶手段、非接触で情報を送受信する無線送受信制御手段、およびアンテナを有する無線情報記憶部と、可視画像を記録する画像記録部と、を備えた無線情報記憶媒体の発行処理方法において、  
複数の無線情報記憶媒体の無線情報記憶部のみに連続して所定情報を書き込む情報書き込み工程と、複数の無線情報記憶媒体の画像記録部のみに前記所定情報の少なくとも一部に対応した画像情報を連続して記録する画像記録工程と、を備えたことを特徴としている。
【手続補正３】
【補正対象書類名】明細書
【補正対象項目名】００２１
【補正方法】変更
【補正の内容】
【００２１】
上記発行処理方法によれば、照合工程および回収工程により欠陥のある無線情報記憶媒体を排除することができ、歩留まりの向上を図ることができる。
更に、この発明に係る発行処理方法は、情報を記憶する記憶手段、非接触で情報を送受信する無線送受信制御手段、およびアンテナを有する無線情報記憶部と、可視画像を記録する画像記録部と、を備えた無線情報記憶媒体の発行処理方法において、  
それぞれ独立して形成された複数の上記無線情報記憶部に連続して所定情報を書き込む情報書き込み工程と、それぞれ独立して形成された複数の上記画像記録部に前記所定情報の少なくとも一部に対応した画像情報を連続して記録する画像記録工程と、上記情報書き込み工程により所定情報が書き込まれた上記無線情報記憶部と上記画像記録工程により画像情報が記録された上記画像記録部とをそれぞれ接合して複数の無線情報記憶媒体を形成する接合工程と、を備えたことを特徴としている。
【手続補正４】
【補正対象書類名】明細書
【補正対象項目名】００２６
【補正方法】変更
【補正の内容】
【００２６】
また、無線情報記憶部４０は、矩形のカットシート状をなす基材４１と、基材の主表面周辺部に配設されたループ状コイルからなる送受信アンテナ４２と、基材４１主表面の端部に配設されたＬＳＩチップ（無線情報記憶回路素子）４３と、を備えている。このＬＳＩチップ４３は、図示しない外部装置との間で非接触で情報を送受信する無線送受信制御手段として機能する。
【手続補正５】
【補正対象書類名】明細書
【補正対象項目名】００２７
【補正方法】変更
【補正の内容】
【００２７】
図２に示すように、ＬＳＩチップ４３には、送受信アンテナ４２で受信された変調データ信号の整流および安定化を行いＬＳＩチップの回路各部に供給する電源生成部５０、変調データ信号を復調し制御ロジック回路５３に送出する復調回路５１、制御ロジック回路５３から送出されたデータ信号を無線送信可能な形態に変調する変調回路５２、揮発性メモリ５４、復調されたデータ信号の不揮発性メモリ５４への書き込み、あるいは不揮発性メモリ５４から記憶された情報の読み出し、変調回路５２への送出を制御する制御ロジック回路５３、復調回路５１、変調回路５２、制御ロジック回路５３へ同期信号を供給するクロック生成回路５５などの回路が設けられている。
【手続補正６】
【補正対象書類名】明細書
【補正対象項目名】００３８
【補正方法】変更
【補正の内容】
【００３８】
筐体１９内には、記録ヘッドとしのサーマルヘッドを用いて無線荷札２０の画像記録部３０に画像情報を記録する画像印字部９０と、サーマルヘッドに対向したプラテンローラ１０３と、スタッカ１１０から取出された無線荷札２０を排出口９７に向かって所定の速度で搬送する搬送ローラ１０２、および、画像印字部９０への無線荷札の進入を検知するセンサ１１２が設けられている。
【手続補正７】
【補正対象書類名】明細書
【補正対象項目名】００５２
【補正方法】変更
【補正の内容】
【００５２】
続いて、上記のように同一の情報が無線情報記憶部４０に正しく書き込まれた多数の無線荷札２０に対し、画像印字装置１８を用いて画像情報の記録を行う。この場合、図５ないし図７、および図１１に示すように、図示しない入力手段により処理開始が入力されると、画像印字装置１８のＣＰＵ１１３から搬送制御部１００に取り出しローラ１０１の起動信号が出力され、取出しローラ１０１が駆動される。スタッカ１１０には、同一の情報が無線情報記憶部４０に正しく書き込まれた多数の無線荷札２０が積層されており、最下端に位置した無線荷札は、取り出しローラ１０１によって取り出され、画像印字部９０に向けて搬送される。
【手続補正８】
【補正対象書類名】明細書
【補正対象項目名】００５８
【補正方法】変更
【補正の内容】
【００５８】
これにより、無線情報記憶部４０に所定の情報が書き込まれ、かつ、画像記録部３０に上記所定情報の少なくとも一部に対応する画像情報が記録された多数枚の無線荷札２０が発行される。
【手続補正９】
【補正対象書類名】明細書
【補正対象項目名】００７８
【補正方法】変更
【補正の内容】
【００７８】
また、この発明の発行処理方法によれば、独立した無線情報記憶部に無線情報書き込み処理を行うとともに、独立した画像記録部に画像記録処理を行い、これらの無線情報記憶部と画像記録部とを結像して無線情報記憶媒体を形成していることから、無線情報書き込み処理と画像記録処理とを完全に独立して行うことができる。従って、完全な並行処理が可能となり、無線情報記憶媒体の発行時間の短縮を図ることができる。